(57)【要約】【課題】熱動形過負荷継電器の本体ケースへのリセットレリーズの取り付けを容易にするように、取付構造を改良する。【解決手段】外郭ケースと、整定電流を調整する調整ダイヤルと、過電流の通電により接点を開路する接点開閉機構をリセットするリセットスイッチと、前記外郭ケースに取り付けられ、前記調整ダイヤルの誤操作を防止するカバーとを備えた熱動形過負荷継電器において、前記カバーが前記調整ダイヤルの誤操作防止の位置にあるときに、前記リセットスイッチを操作可能とするリセットレリーズガイドをカバーに設けた構造とする。【選択図】図１
2012014989.tif 000002
【特許請求の範囲】
【請求項１】
外郭ケースと、整定電流を調整する調整ダイヤルと、過電流の通電により接点を開路する接点開閉機構をリセットするリセットスイッチと、前記外郭ケースに取り付けられ、前記調整ダイヤルの誤操作を防止するカバーとを備えた熱動形過負荷継電器において、前記カバーが前記調整ダイヤルの誤操作防止の位置にあるときに、前記リセットスイッチを操作可能とするリセットレリーズガイドをカバーに設けたことを特徴とする熱動形過負荷継電器。
【請求項２】
請求項１に記載の熱動形過負荷継電器において、リセットレリーズガイドをカバーと一体にしたことを特徴とする熱動形過負荷継電器。
【請求項３】
請求項１に記載の熱動形過負荷継電器において、リセットレリーズガイドを設置するカバーの上面に取付用の係合部を設け、前記係合部にリセットレリーズガイドに設けた係合部を着脱自在に設置することを特徴とする熱動形過負荷継電器。
【請求項４】
請求項３に記載の熱動形過負荷継電器において、カバーの上面に設けた係合部は、係合溝であることを特徴とする熱動形過負荷継電器。
【請求項５】
請求項３に記載の熱動形過負荷継電器において、カバーの上面に設けた係合部は、係合孔であることを特徴とする熱動形過負荷継電器。
【発明の詳細な説明】
【技術分野】
【０００１】
本発明は、電磁接触器などに組み合わせて使用する熱動形過負荷継電器（サーマルリレー）に関し、詳しくはリセットスイッチを操作可能とするリセットレリーズに関する。
【背景技術】
【０００２】
まず、頭記した熱動形過負荷継電器の代表的な従来構造を図３に示す。
図３において、１樹脂モールド製の外郭ケース、２は主回路に接続したヒータ２ａの発熱を受けて湾曲する主バイメタル、３は主バイメタル２の自由端に連係させたシフター、４はシフター３の変位に従動する釈放レバー、５は釈放レバー４で駆動される出力接点の開閉機構で、該開閉機構５は釈放レバー４に連係させた反転バネ６と、反転バネ６に連結したスライダ７と、スライダ７の動きに応動して開閉動作する出力接点８（ａ接点）および９（ｂ接点）と、リセットスイッチ１０との組立体からなる。また、１１は前記釈放レバー４を揺動可能に軸支保持した調整リンク、１２は調整リンク１１の上端側に連係させて整定電流を調整する調整ダイヤルである。ここでは図示していないが、前記調整ダイヤル１２の誤操作を防止するカバーが外郭ケース上端に配置される。
【０００３】
上記熱動形過負荷継電器の動作は周知の通りであり、主回路に流れる過負荷電流により主バイメタル２が湾曲すると、シフター３を介して釈放レバー４が支軸１１ｂを中心に回転して反転バネ６を反転させ、開閉機構５のスライダ７を駆動して出力接点８，９を反転させて接点信号を出力する。（例えば、特許文献１参照）
次に、熱動形過負荷継電器のリセットスイッチ１０について図４に基づいて説明する。リセットスイッチ１０は一般的に押し込み自在に外郭ケース１に装着され、このリセットスイッチ１０を押し込むことにより、トリップに伴って反転動作した開閉機構５を初期状態に復帰させるようになっている。このリセットには、リセットスイッチ１０をリセットの都度押し込み操作する手動式と、リセットスイッチ１０を押し込んだ状態で保持しておくことにより、主バイメタル２の冷却後に開閉機構５を自動的に初期状態に戻す自動式とがあり、それらは切換可能になっている。この種の熱動形過負荷継電器は制御盤等の盤内に収納して設置されることが多く、このためリセットスイッチ１０を手動式でリセットする場合は、制御盤の扉を開けてリセットスイッチ１０の操作を行う。また図Ｂで示すように、制御盤の扉を開けることなく扉の外部からリセットスイッチ１０を遠隔操作できるリセットレリーズ１５が付属部品として備えられている。（例えば、特許文献２参照）
【先行技術文献】
【特許文献】
【０００４】
【特許文献１】特開平２−８６０２４号公報
【特許文献２】実開平２−５０９３９号公報
【発明の概要】
【発明が解決しようとする課題】
【０００５】
ところで、前記した従来の熱動形過負荷継電器では、付属部品であるリセットレリーズ１５を熱動形過負荷継電器本体に取り付ける場合には、リセットレリーズ用の取り付け構造を熱動形過負荷継電器本体に設ける必要があり、熱動形過負荷継電器本体の構造が複雑化するとともに、コストアップにも繋がってしまう問題があった。
【０００６】
本発明は上記の点に鑑みなされたものであり、コストアップと熱動形過負荷継電器本体構造が複雑化することがない熱動形過負荷継電器を提供することを目的とする。
【課題を解決するための手段】
【０００７】
上記目的を達成するために、本発明によれば、外郭ケースと、整定電流を調整する調整ダイヤルと、過電流の通電により接点を開路する接点開閉機構をリセットするリセットスイッチと、前記外郭ケースに取り付けられ、前記調整ダイヤルの誤操作を防止するカバーとを備えた熱動形過負荷継電器において、前記カバーが前記調整ダイヤルの誤操作防止の位置にあるときに、前記リセットスイッチを操作可能とするリセットレリーズガイドをカバーに設けるようにする（請求項１）。また上記熱動形過負荷継電器において、次記のような具体的態様で構成することができる。
（１）前記リセットレリーズガイドをカバーと一体に設ける（請求項２）。
（２）前記リセットレリーズガイドを取り付けるカバーの上面に取り付け用の係合部を設け、前記係合部にリセットレリーズガイドに設けた係合部を着脱自在に設ける（請求項３）。
（３）カバーの上面に設けた係合部は、係合溝とする（請求項４）。
（４）カバーの上面に設けた係合部は、係合孔とする（請求項５）。
【発明の効果】
【０００８】
上記の構成によれば、調整ダイヤルの誤操作防止用のカバーにリセットレリーズガイドを設けるカバー構造にすることにより、リセットレリーズを使用する場合は誤操作防止用のカバーを取り外すが、その際に誤操作防止用のカバーが使用していた取り付け溝を共有化でき、外郭ケースに不要な加工を施す必要がないため、コストアップすることなく、熱動形過負荷継電器本体の構造も複雑化することがない。
また、調整ダイヤルの誤操作防止用のカバーに係合部を設け、別部品でリセットレリーズガイドと係合させる構造にすることにより、誤操作防止用カバーをリセットレリーズ使用時と共有化が可能となる。
【図面の簡単な説明】
【０００９】
【図１】本発明の実施例を示す熱動形過負荷継電器の拡大斜視図
【図２】（ａ），（ｂ）は、本発明のその他の実施例を示すリセットレリーズ構造のカバーとリセットレリーズガイドの斜視図
【図３】従来例を示す熱動形過負荷継電器の内部構造を示す正面図
【図４】従来のリセットレリーズ構造を示す斜視図
【発明を実施するための形態】
【００１０】
以下、この発明の実施の形態を図示の実施例に基づいて説明する。なお、図１，２はこの実施例に対応する熱動形過負荷継電器の構成図であり、図３，４に対応する部材には同じ符号を付してその説明は省略する。
【実施例１】
【００１１】
図１に示す本実施例の熱動形過負荷継電器は、外郭ケース１内に、主バイメタル２の自由端に係合したシフター３の変位に従動する釈放レバー４と、釈放レバー４の動作により接点が切り替わる接点開閉機構５を有し（図示しない）、接点開閉機構５をリセットするリセットボタン１０と、整定電流を調整する調整ダイヤル１２と、調整ダイヤルの誤操作を防止するカバー１６（図示しない）とを備えている。
【００１２】
上記構成による熱動形過負荷継電器の動作は従来構造と同様であり、主回路に調整ダイヤル１２で設定した整定電流を超える過電流が流れて主バイメタル２が湾曲し、シフター３を介して補償バイメタル４ａが変位すると、釈放レバー４は調整リンク１１との連結軸を支点に反時計方向に回動して反転バネ６を押す。これにより、反転バネ６がトリップ動作して出力接点８，９が切り替え動作する。
【００１３】
ここで、トリップ動作で反転した接点開閉機構５を手動式で初期状態に復帰させる場合には、リセットスイッチ１０を押し込むことにより初期状態に復帰させる。その際、熱動形過負荷継電器は一般的に制御盤等の盤内に収納されているが、リセットレリーズ１５を用いて盤外から遠隔操作してリセットスイッチ１０を操作することがある。この場合、図１に示すように、調整ダイヤル１２の誤操作防止用のカバー１６（図示しない）を一旦取り外し、リセットレリーズガイドを設けたカバー１３を取り付ける。その際、リセットレリーズ用のカバー１３にリセットレリーズガイド１４を一体に設けても良い。このリセットレリーズガイド１４にリセットレリーズ１５を挿入することで、制御盤外からリセットスイッチ１０を操作することが可能となる。これにより、誤操作防止用のカバー１６（図示しない）が使用していた取り付け溝１ａを共有化でき、外郭ケース１に不要な加工を施す必要がないため、コストアップすることなく、熱動形過負荷継電器本体の構造も複雑化するとがなくなる。
【実施例２】
【００１４】
図２（ａ），（ｂ）には、その他の実施の形態を示した図である。図２（ａ），（ｂ）に示すように、リセットレリーズ用のカバー１３を新たに設けるのではなく、誤操作防止用のカバー１６に、リセットレリーズガイド１４を取り付けることができるように、リセットレリーズガイド１４には係合部１４ａ，１４ｂ、誤操作防止用のカバー１６には係合溝１６ａもしくは係合孔１６ｂを設けるようにしても良い。
【符号の説明】
【００１５】
１  外郭ケース
１ｃ  取り付け溝
２  主バイメタル
３  シフター
４  釈放レバー
４ａ  補償バイメタル
５  接点開閉機構
６  反転バネ
７  スライダ
８  ，９  出力接点
１０  リセットスイッチ
１１  調整リンク
１２  調整ダイヤル
１３  リセットレリーズ用のカバー
１４  リセットレリーズガイド
１４ａ，１４ｂ  係合部
１５  リセットレリーズ
１６  誤操作防止用のカバー
１６ａ  係合溝
１６ｂ  係合孔
【図１】
2012014989.tif 000003
【図２】
2012014989.tif 000004
【図３】
2012014989.tif 000005
【図４】
2012014989.tif 000006